(57)【特許請求の範囲】
【請求項１】
ステータと自在に回転するロータと、前記ロータの両端に設けた出力軸と、前記前記出力軸の一端が貫通してロータを回転自在に保持する負荷側ブラケットと、前記ステータと前記出力軸の他端を保持する反負荷側ブラケットからなるモータ部と、前記負荷側ブラケットを貫通した出力軸に備えられたインペラと、インペラの外周部に配されインペラからの吹き出し風を徐々に圧力回復しながら外周部に導くエアガイドと、前記インペラとエアガイドを覆うケーシングと、前記ケーシングの外周面に設けた複数の開口部と、前記開口部を開閉する開閉リングとからなり、外周部に導かれた風は、前記開口部を閉じた時は前記モータ部に入り前記反負荷側ブラケットに設けられた排気口を介して本体外に排出され、前記開口部を開けた時はこの開口部を介して排出されることを特徴とする電動送風機。
【請求項２】
ステータと自在に回転するロータと、前記ロータの両端に設けた出力軸と、前記前記出力軸の一端が貫通してロータを回転自在に保持する負荷側ブラケットと、前記ステータと前記出力軸の他端を保持する反負荷側ブラケットからなるモータ部と、前記負荷側ブラケットを貫通した出力軸に備えられたインペラと、インペラの外周部に配されインペラからの吹き出し風を徐々に圧力回復しながら外周部に導くエアガイドと、前記インペラとエアガイドを覆うケーシングと、前記反負荷側ブラケットの前記エアガイドに対向した位置に設けた開口部と、前記開口部を開閉する開閉リングとからなり、外周部に導かれた風は、前記開口部を閉じた時は前記モータ部に入り前記反負荷側ブラケットに設けられた排気口を介して本体外に排出され、前記開口部を開けた時はこの開口部を介して排出されることを特徴とする電動送風機。
【請求項３】
開閉リングを、ケーシングの内側または外側に設けた請求項１記載の電動送風機。
【請求項４】
開閉リングを、反負荷側ブラケットの内側または外側に設けた請求項２記載の電動送風機。
【請求項５】
開閉リングを、吸音性材料で形成した請求項１〜４のいずれか１項記載の電動送風機。
【請求項６】
回転したときケーシングの開口部と連通する連通部を開閉リングに設け、前記連通部近傍に、通気性を有する防音材を配した請求項１〜５のいずれか１項記載の電動送風機。
【請求項７】
回転したときケーシングの開口部と連通する連通部を開閉リングに設け、前記連通部と、ケーシング外周面または反負荷側ブラケット外周面との接触部に摺動性の良いシール材を配した請求項１〜６のいずれか１項記載の電動送風機。
【請求項８】
回転したときケーシングの開口部と連通する連通部を開閉リングに設け、前記連通部の外気側に、吹き出し風が外気側へスムーズに排出されるためのガイド壁を設けた請求項１〜７のいずれか１項記載の電動送風機。
【請求項９】
塵埃を吸引する吸込具と塵埃を集塵する集塵室を備え、前記請求項１〜８のいずれか１項の電動送風機を、前記集塵室の下流側に配置した電気掃除機。
【請求項１０】
開閉リングを回転させるレバーを前記開閉リングの外表面に設け、圧力の変化で前後方向に移動する圧力弁を前記レバーに接続し、前記圧力弁は集塵室と連通させ、前記集塵室の圧力変化に連動させて前記開閉リングを回転させる請求項９記載の電気掃除機。
【請求項１１】
開閉リングを回転させるレバーを前記開閉リングの外表面に設け、電磁弁を前記レバーに接続し、前記電磁弁を動作させることで前記開閉リングを回転させる請求項９記載の電気掃除機。
【請求項１２】
電動送風機の吸い込み力が最大に達する時点で、開閉リングを開放状態になるように電磁弁にて制御する請求項１１記載の電気掃除機。
【請求項１３】
ステータと自在に回転するロータと、前記ロータの両端に設けた出力軸と、前記前記出力軸の一端が貫通してロータを回転自在に保持する負荷側ブラケットと、前記ステータと前記出力軸の他端を保持する反負荷側ブラケットからなるモータ部と、前記負荷側ブラケットを貫通した出力軸に備えられたインペラと、インペラの外周部に配されインペラからの吹き出し風を徐々に圧力回復しながら外周部に導くエアガイドと、前記インペラとエアガイドを覆うケーシングからなり、前記ケーシングの外周面設けた複数の開口部と、前記開口部を開閉する開閉部とからなり、外周部に導かれた風は、前記開口部を閉じた時は前記モータ部に入り前記反負荷側ブラケットに設けられた排気口を介して本体外に排出され、前記開口部を開けた時はこの開口部を介して排出されることを特徴とする電動送風機。
【請求項１４】
開閉部とエアガイド外周部をバネまたは磁力で開閉する請求項１３記載の電動送風機。
【発明の詳細な説明】
【０００１】
【発明の属する技術分野】
本発明は、電気掃除機に内蔵される電動送風機の吸込み力向上に関するものであり、特に、電気掃除機本体の高仕事率化を実現するものである。
【０００２】
【従来の技術】
従来この種の電気掃除機、特に電動送風機の構造は図１１のようになっていた。
【０００３】
図１１に示すように、電気掃除機１は、掃除機本体２に、ホース１０１が着脱自在に接続され、ホース１０１の他端には操作部１０２を形成する先端パイプ１０３が備えられている。先端パイプ１０３には延長管１０４と、その延長管１０４には吸込具１０５が接続され構成されている。本体２には、ホース１０１に連通して集塵室１０６が形成され、集塵室１０６後方には吸気部１０７を集塵室１０６側に面するよう配された電動送風機３と、コードリール１０８が備えられており、本体２後方には、フィルター１０９、本体排気口１１０が設けられている。作用としては、電動送風機３の吸引力により吸込具１０５から集められたゴミは、延長管１０４、先端パイプ１０３、ホース１０１を通り、集塵室１０６に集められる。
【０００４】
電動送風機３については、図１２のような構造になっていた。モータ部３２の５１は整流子５２、ロータ巻線２２を有するロータで、前記ロータ巻線２２はロータコアー７０の外周に巻かれている。前記ロータ５１はモータの出力軸５３の両端に軸受４が圧入され、この軸受４を負荷側ブラケット５と反負荷側ブラケット６にて支持している。７はカーボンブラシ８を内蔵した金属からなるブラシホルダーであり、反負荷側ブラケット６にて保持されている。９はステータ巻線２３を有するステータで、前記ステータ巻線２３はステータコアー７２の外周に巻かれている。
【０００５】
ファン部３１の１０は負荷側ブラケット５と、負荷であり空気吸引、吹き出し用のインペラ１１間に形成した整流用のエアーガイドであり、インペラ１１の上方はケーシング１２で覆われている。インペラ１１はスペーサー１３、座金１４及びナット１５によりシャフト５３に固定されシャフト５３とともに回転する。エアーガイド１０は、ネジ（図示せず）等にて負荷側ブラケット５に固定しており、負荷側ブラケット５と反負荷側ブラケット６もネジ（図示せず）等にて固定してある。１６は、ケーシング１２の吸気口を形成する吸気管であり、ケーシング１２へは溶着等で固定している。
【０００６】
このような構造で電動送風機３は構成されており、作用としてはインペラ１１が回転することによって発生する吹き出し風が、インペラ１１の吹き出し口外周に設けた整流用のエアーガイド１０を通過した後、モータ部３２のロータ５１、ステータ９の巻線を冷却し、反負荷側ブラケット６から後方、すなわち本体排気口１１０から外部へ排気される。
【０００７】
【発明が解決しようとする課題】
このような構成の従来の電気掃除機１は、電動送風機３の吸い込み力が高ければ、それに比例して電気掃除機１自体の吸込み力、すなわち吸込仕事率も高くなるが、電気掃除機１の小型・軽量化が望まれる今日において現状の大きさ・軽さを維持しつつ、電気掃除機１の吸込仕事率を大幅に向上させることは至難の技となってきている。
【０００８】
本発明は、以上のような従来の課題を解決しようとするものであって、電動送風機のファン部からの吹き出し風を一部モータ部を通過せずに直接外部へ吹き出す構成とすることにより、吸込み力、すなわち吸込仕事率が欲しいポイントで高い吸込仕事率が得られる電気掃除機を提供することを目的としている。
【０００９】
【課題を解決するための手段】
以上課題を解決するために本発明は、ステータと自在に回転するロータと、前記ロータの両端に設けた出力軸と、前記前記出力軸の一端が貫通してロータを回転自在に保持する負荷側ブラケットと、前記ステータと前記出力軸の他端を保持する反負荷側ブラケットからなるモータ部と、前記負荷側ブラケットを貫通した出力軸に備えられたインペラと、インペラの外周部に配されインペラからの吹き出し風を徐々に圧力回復しながら外周部に導くエアガイドと、前記インペラとエアガイドを覆うケーシングと、前記ケーシングの外周面に設けた複数の開口部と、前記開口部を開閉する開閉リングとからなり、外周部に導かれた風は、前記開口部を閉じた時は前記モータ部に入り前記反負荷側ブラケットに設けられた排気口を介して本体外に排出され、前記開口部を開けた時はこの開口部を介して排出されることを特徴とする電動送風機で、前記開口部を開放することで高い吸込仕事率が得られ、逆に通常の吸込仕事率としたい場合には、前記開口部を閉塞することにより、通常の吸込仕事率が得られ、使用目的に合わせて任意に調節可能な電気掃除機を提供することが出来る。
【００１０】
【発明の実施の形態】
本発明の請求項１記載の発明は、ステータと自在に回転するロータと、前記ロータの両端に設けた出力軸と、前記前記出力軸の一端が貫通してロータを回転自在に保持する負荷側ブラケットと、前記ステータと前記出力軸の他端を保持する反負荷側ブラケットからなるモータ部と、前記負荷側ブラケットを貫通した出力軸に備えられたインペラと、インペラの外周部に配されインペラからの吹き出し風を徐々に圧力回復しながら外周部に導くエアガイドと、前記インペラとエアガイドを覆うケーシングと、前記ケーシングの外周面に設けた複数の開口部と、前記開口部を開閉する開閉リングとからなり、外周部に導かれた風は、前記開口部を閉じた時は前記モータ部に入り前記反負荷側ブラケットに設けられた排気口を介して本体外に排出され、前記開口部を開けた時はこの開口部を介して排出されることを特徴とする電動送風機で、前記開口部を開放することで高い吸込仕事率が得られ、逆に通常の吸込仕事率としたい場合には、前記開口部を閉塞することにより、通常の吸込仕事率が得られ、使用目的に合わせて任意に調節可能な電気掃除機を提供することが出来る。
【００１１】
本発明の請求項２記載の発明は、ステータと自在に回転するロータと、前記ロータの両端に設けた出力軸と、前記前記出力軸の一端が貫通してロータを回転自在に保持する負荷側ブラケットと、前記ステータと前記出力軸の他端を保持する反負荷側ブラケットからなるモータ部と、前記負荷側ブラケットを貫通した出力軸に備えられたインペラと、インペラの外周部に配されインペラからの吹き出し風を徐々に圧力回復しながら外周部に導くエアガイドと、前記インペラとエアガイドを覆うケーシングと、前記反負荷側ブラケットの前記エアガイドに対向した位置に設けた開口部と、前記開口部を開閉する開閉リングとからなり、外周部に導かれた風は、前記開口部を閉じた時は前記モータ部に入り前記反負荷側ブラケットに設けられた排気口を介して本体外に排出され、前記開口部を開けた時はこの開口部を介して排出されることを特徴とする電動送風機で、前記開口部を開放する場合において、エアガイドの案内通路を通過した吹き出し風がブラケットに設けた複数個の開口部より排出されるため、エアガイドの案内通路内でインペラから発生した高周波音などが減衰し、ブラケットに設けた複数個の開口部から排出される吹き出し風の騒音を低減することができる。
【００１２】
本発明の請求項３記載の発明は、上記請求項１項記載の発明において、開閉リングを、ケーシングの内側または外側に設けたもので、開閉リングをケーシングの内側に設けた場合は、開閉リングの内側がインペラからの吹き出し風に押され、ケーシング内周面に密着するため、よりタイト性を向上することが出来る。開閉リングをケーシングの外側に設けた場合は、インペラからの吹き出し風の影響を受けにくいため、開閉リングが回転するときの摺動性が良い。
【００１３】
本発明の請求項４記載の発明は、上記請求項２項記載の発明において、開閉リングを、反負荷側ブラケットの内側または外側に設けたもので、開閉リングを反負荷側ブラケットの内側に設けた場合は、開閉リングの内側がインペラからの吹き出し風に押され、反負荷側ブラケット内周面に密着するため、よりタイト性を向上することが出来る。開閉リングを反負荷側ブラケットの外側に設けた場合は、インペラからの吹き出し風の影響を受けにくいため、開閉リングが回転するときの摺動性が良い。
【００１４】
本発明の請求項５記載の発明は、上記請求項１〜４のいずれか１項記載の発明において、開閉リングを吸音性材料で形成することにより、電動送風機のインペラから発生する騒音を低減することができ、騒音を低減することが出来る。
【００１５】
本発明の請求項６記載の発明は、上記請求項１〜５のいずれか１項記載の発明において、回転したときケーシングの開口部と連通する連通部を開閉リングに設け、前記連通部近傍に、通気性を有する防音材を配したもので、ケーシング外周、もしくはブラケットに設けた複数個の開口部の位置と、開閉リングに設けた連通部を合わせて使用する場合において、インペラからの吹き出し風は防音材を通過した後外部へ排出されるため、電動送風機のインペラから発生する騒音を低減することが出来る。
【００１６】
本発明の請求項７記載の発明は、上記請求項１〜６のいずれか１項記載の発明において、回転したときケーシングの開口部と連通する連通部を開閉リングに設け、前記連通部と、ケーシング外周面または反負荷側ブラケット外周面との接触部に摺動性の良いシール材を配したもので、開閉リングとケーシング外周面、もしくはブラケット面のタイト性をより向上することが出来る。
【００１７】
本発明の請求項８記載の発明は、上記請求項１〜７のいずれか１項記載の発明において、回転したときケーシングの開口部と連通する連通部を開閉リングに設け、前記連通部の外気側に、吹き出し風が外気側へスムーズに排出されるためのガイド壁を設けたもので、ケーシング外周、もしくはブラケットに設けた複数個の開口部の位置と、開閉リングに設けた連通部を合わせて使用する場合において、インペラからの吹き出し風はよりスムーズに外部へ排出されるため、高吸込仕事率化、及び低騒音化を図ることが出来る。
【００１８】
本発明の請求項９記載の発明は、上記請求項１〜８のいずれか１項記載の発明において、塵埃を吸引する吸込具と塵埃を集塵する集塵室を備え、前記請求項１〜８のいずれか１項の電動送風機を、前記集塵室の下流側に配置した電気掃除機で、電動送風機のインペラから発生する騒音を低減することが出来ることで、低騒音の電気掃除機を提供できる。
【００１９】
本発明の請求項１０記載の発明は、上記請求項９記載の発明において、開閉リングを回転させるレバーを前記開閉リングの外表面に設け、圧力の変化で前後方向に移動する圧力弁を前記レバーに接続し、前記圧力弁は集塵室と連通させ、前記集塵室の圧力変化に連動させて前記開閉リングを回転させるもので、電気掃除機が絞り込まれ、集塵室の圧力が低下するのと並行して圧力弁が動作し開閉リングが開くように設定することにより、電動送風機の吸い込み力がピークになるポイントで最も効果を発揮することが出来る。
【００２０】
本発明の請求項１１記載の発明は、上記請求項９記載の発明において、開閉リングを回転させるレバーを前記開閉リングの外表面に設け、電磁弁を前記レバーに接続し、前記電磁弁を動作させることで前記開閉リングを回転させるもので、より開閉リングの開閉精度を向上させることができる。
【００２１】
本発明の請求項１２記載の発明は、上記請求項１１記載の発明において、モータ部への熱的負担を少なくし、信頼性をより向上させることが出来る。
【００２２】
本発明の請求項１３記載の発明は、ステータと自在に回転するロータと、前記ロータの両端に設けた出力軸と、前記前記出力軸の一端が貫通してロータを回転自在に保持する負荷側ブラケットと、前記ステータと前記出力軸の他端を保持する反負荷側ブラケットからなるモータ部と、前記負荷側ブラケットを貫通した出力軸に備えられたインペラと、インペラの外周部に配されインペラからの吹き出し風を徐々に圧力回復しながら外周部に導くエアガイドと、前記インペラとエアガイドを覆うケーシングからなり、前記ケーシングの外周面設けた複数の開口部と、前記開口部を開閉する開閉部とからなり、外周部に導かれた風は、前記開口部を閉じた時は前記モータ部に入り前記反負荷側ブラケットに設けられた排気口を介して本体外に排出され、前記開口部を開けた時はこの開口部を介して排出されることを特徴とする電動送風機で、開閉リングを設けなくとも、上記と同じ動作、効果を得ることが出来る。
【００２３】
本発明の請求項１４記載の発明は、上記請求項１３記載の発明において、開閉部とエアガイド外周部をバネまたは磁力で開閉するもので、開閉リング、圧力弁などを設けなくとも、同じ動作、効果を得ることが出来る。
【００２４】
【実施例】
以下に本発明の実施例を、図１、２を用いて説明する。なお、従来例と同一構成部分については、同一符号を付して、その説明を省略する。
【００２５】
図１に示すように、電気掃除機１に組み込まれた電動送風機１００のケーシング１２外周面には複数個の開口部２０を設けると共に、前記ケーシング１２の外周にはケーシング１２に設けた複数個の開口部２０を塞ぐだけの幅ｔを確保した開閉リング２１で覆い、更に前記開閉リング２１はケーシング１２に設けた複数個の開口部２０の位置に一致した箇所に連通部２２を形成するとともに本体２外部へ突出するレバー２３を開閉リング２１に備える。
【００２６】
上記構成による作用は以下の通りである。
【００２７】
図１に示すように、開口部２０と連通部２２の位置が互い違いになるように、開閉リング２１の位置を設定した場合は、ケーシング１２に設けた開口部２０が開閉リング２１で閉じられるため、従来例で示した作用と同様に、インペラ１１が回転することによって発生する吹き出し風が、インペラ１１の吹き出し口外周に設けた整流用のエアガイド１０を通過した後、モータ部３２のロータ１、ステータ９の巻線を冷却し、反負荷側ブラケット６の複数の排気口７３から後方、すなわち本体排気口１１０から外部へ排気される。図１で示す風の流れはごく一般的ではあるが、図１に示すようにケーシング１２に設けた開口部２０を閉じた状態では、インペラ１１から発生する吹き出し風がエアガイド１０を通過した後、モータ部３２に入り込む際、風が大きく回り込みながら流入するため通気圧損が大となり、結果電動送風機１００の吸い込み力が目減りする。従って、より高い吸い込み力が得たい場合については、図２に示すように本体２外部へ突出させた開閉リング２１のレバー２３を回転させ、ケーシング１２外周面に設けた開口部２０から吹き出し風が外部へ排出されるように、開口部２０と開閉リング２１の連通部２２の位置を一致させることにより、インペラ１１からの吹き出し風の一部については、モータ部３２へ回り込むことなく、エアガイド１０の出口から直接ケーシング１２外部へ排出されるため、電動送風機１００自体の吸い込み力を向上させることが出来る。すなわち、電気掃除機１自体の吸い込み力を向上させることが出来る。
【００２８】
また図３に示すように、図１、２ではケーシング１２外周面に設けた複数個の開口部２０を、ケーシング１２ではなくエアガイド１０外周下面部に当たる反負荷側ブラケット６端面に設け、開閉リング２１も前記反負荷側ブラケット６端面に一致した形状とすることにより、開口部２０を開閉リング２１で閉じた場合の作用については図１、２と同じであるが、図４に示すように開口部２０と開閉リング２１の連通部２２の位置を一致させた場合については、モータ部３２へ回り込む手前で吹き出し風を反負荷側ブラケット６端面に設けた開口部２０より外部へ排出するため、インペラ１１から発生した高周波音などの耳障りな騒音を減衰するための距離を大きくかせぐことができ、結果図１、２に比べ低騒音化を図ることが出来る。しかしながら、図３の場合にはエアガイド１０から直接ではなく若干モータ部３２へ回り込むため、図１、２に比べ吸い込み力の向上幅は少なくなる。よって、開口部２０をケーシング１２外周面と反負荷側ブラケット６端面の双方に設ければ、双方の効果をそれぞれ発揮することも可能であるが、より低騒音化を図る手段としては、開閉リング２１自体を吸音性の良好な材料で形成する方法もある。その他、図５に示すように開閉リング２１の連通部２２に通気性の良好な防音材２４を配すれば、開口部２０と開閉リング２１の連通部２２の位置を一致させて使用する際、インペラ１１で発生した吹き出し風がエアガイド１０から直接外部へ排出されるのではなく、一旦防音材を通過して後外部へ排出されるため、騒音の低減を図ることが可能となる。
【００２９】
更に、開閉リング２１とケーシング１２外周面、又は反負荷側ブラケット６端面とのタイト性を向上させる手段としては、開閉リング２１をケーシング１２外周、及び反負荷側ブラケット６端面の外側に設けるのではなく、それぞれの内側に設けることにより、インペラ１１からの吹き出し風で開閉リング２１はケーシング１２、及び反負荷側ブラケット６端面の内面に押しつけられるため、開口部２０を開放リング２１で閉じて使用する際のタイト性をより向上させることが出来る。その他、図６で示すように、開閉リング２１の内側面に、ケーシング１２外周面、又は反負荷側ブラケット６端面に接触し、かつ摺動性の良いタイト材２５を配することにより、開閉リング２１とのタイト性をより向上させることも可能である。
【００３０】
その他、電動送風機１００のより吸い込み力を向上させる手段としては、図７に示すように、開閉リング２１の連通部２２の外周方向に、インペラ１１からエアガイド１０を通過した吹き出し風が外部へスムーズに排出されるためのガイド壁２６を設けることにより、インペラ１１からの吹き出し風はエアガイド１０の流れに沿ってよりスムーズに外部へ排出されるため、排気部分での損失が低減され、更なる吸い込み力の向上、及び低騒音化を図ることが出来る。
【００３１】
次に開閉リング２１を自動で開閉する手段としては、図８に示すように、開閉リング２１のレバー２３にバネ３０、移動弁２８、タイトゴム２９を内蔵した圧力弁機構２７の移動弁２８を取り付け、圧力弁機構２７の反レバー側には本体２の集塵室１０６に連結されたチューブ５０を接続する。これにより、電気掃除機１の本体２の吸い込み口が絞り込まれた場合、すなわち風量が徐々に低下した場合、集塵室１０６の圧力が低下するため、集塵室１０６とチューブ５０で連結された圧力弁機構２７の移動弁２８は、図８の矢印方向に移動する。矢印方向に移動した際に、開閉リング２１も回転するため、回転した際にケーシング１２の開口部２０と開閉リング２１の連通部２２の位置が一致するような設定とすれば、電気掃除機１の風量が低下するに従って、開放リング２１を開放状態にすることができる。一般的に電気掃除機１の吸い込み特性は、開放状態で最高の吸い込み力が発揮されるのではなく、風力が比較的低いポイントで吸い込み力が最高点に達する。よって、電気掃除機１の風量低下と連動して開放リング２１を開放状態にもっていくことにより、最高の吸い込み力ポイントのみで開放リング２１を全開放とし、その他のポイントでは閉じている、又は全開放としないことにより、全体の騒音自体も抑え込むことが出来る。
【００３２】
更に、前記のように開閉リング２１の回転手段を機械的機構ではなく、電磁石等を使用し電気的に制御すれば、より開閉に対する精度を向上することが出来る。また、電磁石等を電気的に制御する場合においては、風量の感知は回路でできないため、電動送風機１００の消費電力、電流値を読みとるようにし、電動送風機１００の吸い込み力が最大値になる消費電力、電流値を設定すれば、そのポイントで一気に開閉リング２１が開放状態になるようにする。そうすれば、吸い込み力が最大値になるポイントのみ開放されるため、より効率的に吸い込み力の向上を図ることが出来る。開閉リング２１の開放状態が長く続くと、モータ部３２へ流れ込む冷却風が長時間減らされるため、モータ部３２へ熱的負担が大きくなる。前記のように、最大になるポイントのみ開放になるように回路制御を行えば、モータ部３２への熱的負担も大幅に減らすことが出来る。
【００３３】
更に、図９に示すように開放リング２１を設けずに、ケーシング１２の開口部２０に開閉部３３を設け、前記開閉部３３を圧縮バネ３４でエアガイド１０出口部と接続することにより、図８で示した圧力弁機構と同様の効果を得ることが出来る。作用としては、電気掃除機１が開放状態の時には、電動送風機１００の風量が大きいため、ケーシング１２に設けた開閉部３３内面には大きな面圧が加わり、開閉部３３は閉じた状態になる。次に電気掃除機１の吸い込み口を絞り込み、電動送風機１００の風量が下がった場合には、開閉部３３に加わる面圧が下がり、開閉部３３はエアガイド１０出口部と接続された圧縮バネ３４に引っ張られ、開閉部３３は開放される。また、図１０で示すように、開閉部３３とエアガイド１０出口部を接続するものをバネではなく、異極の磁石３５を配置することにより、バネに比べて構成をより簡素にすることが出来る。
【００３４】
【発明の効果】
本発明は、電動送風機のファン部からの吹き出し風を一部モータ部を通過せずに直接外部へ吹き出す構成とすることにより、吸込み力、すなわち吸込仕事率が欲しいポイントで高い吸込仕事率が得られる電気掃除機を提供できる。
【図面の簡単な説明】
【図１】  本発明の実施例を示す電動送風機の部分断面図（開口部を閉じた状態）
【図２】  同電動送風機の部分断面図（開口部を開いた状態）
【図３】  同電動送風機のブラケット対応時の後方図（開口部を閉じた状態）
【図４】  同電動送風機のブラケット対応時の後方図（開口部を開いた状態）
【図５】  同電動送風機の防音材使用時の拡大部分断面図
【図６】  同電動送風機のタイト部材使用時の拡大部分断面図
【図７】  同電動送風機のガイド壁使用時の拡大部分断面図
【図８】  同電動送風機の圧力弁機構使用時の拡大部分断面図
【図９】  同電動送風機の開閉部使用時の拡大部分断面図（バネ採用時）
【図１０】  同電動送風機の開閉部使用時の拡大部分断面図（磁石採用時）
【図１１】  従来の電気掃除機を示す断面図
【図１２】  同電動送風機を示す部分断面図
【符号の説明】
５  負荷側ブラケット
６  反負荷側ブラケット
９  ステータ
１０  エアガイド
１１  インペラ
１２  ケーシング
２０  開口部
２１  開閉リング
２２  連通部
３１  ファン部
３２  モータ部
５１  ロータ
７３  排気口
【図１】
0003838071.tif 000002
【図２】
0003838071.tif 000003
【図３】
0003838071.tif 000004
【図４】
0003838071.tif 000005
【図５】
0003838071.tif 000006
【図６】
0003838071.tif 000007
【図７】
0003838071.tif 000008
【図８】
0003838071.tif 000009
【図９】
0003838071.tif 000010
【図１０】
0003838071.tif 000011
【図１１】
0003838071.tif 000012
【図１２】
0003838071.tif 000013